(57)【要約】【課題】  楽曲再生中に着信があった場合に、着信通知用の着信音を楽しむことができると共に、確実に使用者に着信を通知することができる携帯電話機を提供する。【解決手段】  楽曲再生中（Ｓ２）に着信があると（Ｓ３）、楽曲を停止する（Ｓ４）。そして、予め着信設定されている着信音情報を読み込む（Ｓ５）。着信音情報とは、着信音の曲名、歌手名、音楽ジャンル名、アルバム名などであり、それらとステップＳ２で再生中の楽曲の曲名、歌手名、音楽ジャンル名、アルバム名とを比較する（Ｓ６）。一致する項目があれば類似曲と判断して（Ｓ７）、他の着信報知手段である着信表示、バイブレータ、又は、類似していない他の着信音を出力して、使用者に報知する（Ｓ８）。ステップＳ７で類似曲でなければ、予め着信設定されている着信音を出力して、使用者に報知する（Ｓ９）。【選択図】  図４
2007124584.tif 000002
【特許請求の範囲】
【請求項１】
再生用の楽曲を保存する楽曲保存手段と、
着信通知用の着信音を保存する着信音保存手段と、
前記楽曲および前記着信音を出力するスピーカと、
着信通知用の着信表示手段と、
着信通知用の振動手段と、
前記楽曲再生中に着信があった時に、当該再生中の楽曲と前記着信音とが類似曲であるかを判断し、類似曲であれば、前記着信表示手段または前記振動手段または類似曲ではない他の着信音のいずれか１乃至複数の手段により着信を報知する制御手段とを
具備することを特徴とする携帯電話機。
【請求項２】
再生用の楽曲を保存する楽曲保存手段と、
着信通知用の着信音を保存する着信音保存手段と、
前記楽曲および前記着信音を出力するスピーカと、
着信通知用の着信表示手段と、
着信通知用の振動手段と、
前記楽曲再生中に着信があった時に、前記楽曲保存手段に記憶されている全楽曲と前記着信音とが類似曲であるかを判断し、全楽曲中に１つ以上類似曲があれば、前記着信表示手段または前記振動手段または類似曲ではない他の着信音のいずれか１乃至複数の手段により着信を報知する制御手段とを
具備することを特徴とする携帯電話機。
【請求項３】
前記楽曲保存手段は、楽曲データと共に、楽曲の曲名、歌手名、音楽ジャンル名、アルバム名の１つまたは複数を記憶し、
前記着信音保存手段は、着信音データと共に、着信音の曲名、歌手名、音楽ジャンル名、アルバム名の１つまたは複数を記憶し、
前記制御手段は、前記楽曲の曲名、歌手名、音楽ジャンル名、アルバム名と、前記着信音のタイトル名、歌手名、音楽ジャンル名、アルバム名とをそれぞれ比較し、いずれか一致していれば類似曲であると判断することを特徴とする請求項１又は請求項２に記載の携帯電話機。
【発明の詳細な説明】
【技術分野】
【０００１】
本発明は、音楽再生機能を有する携帯電話機にあって、音楽再生中に着信があった時の処理に関する。
【背景技術】
【０００２】
（背景技術１）
音楽を楽しみながら通話も快適におこなえる音楽プレーヤ兼用携帯電話機がある（例えば、特許文献１参照。）。この特許文献１の携帯電話機にあっては、音楽を聴いている最中にこの携帯電話機に着信があると、機体を振動させたり着信ランプを点滅させたりして着信を通知するとともに、音楽の音量を所定の値以下にする。そして、通話ができる状態になると、先の音量を下げた音楽を音声信号に混合して出力する。このようにして、今まで聴いていた音楽が通話のＢＧＭとして自分と通信相手の双方に聞こえることができる。
【０００３】
（背景技術２）
音楽再生機能を有する携帯電話機がある（例えば、特許文献２参照。）。この特許文献２の携帯電話機にあっては、音楽再生中に着信があると、再生中の音楽の音量をＢＧＭ再生の音量まで低減し、着信用の着信音を発生する。そして、ユーザが着信に応じると通話が開始され、着信音は停止され、再生中の音楽のＢＧＭ再生音は、通話音にミキシングされて再生される。
【特許文献１】特開２００３−４６６０３号公報（第３頁、図３）
【特許文献２】特開２００２−１９９０５６号公報（第１３頁、図１２）
【発明の開示】
【発明が解決しようとする課題】
【０００４】
従来の背景技術１の携帯電話機では、音楽を聴いている最中に着信があると、一律、振動や着信ランプ点滅で着信を通知しており、ユーザは、着信通知用の着信音を楽しめないという問題がある。  
従来の背景技術２の携帯電話機では、再生中の音楽および着信用の着信音は共に、ユーザが好みの音楽をそれぞれ設定することが多い。その場合、再生中の音楽と着信用の着信音とがユーザ好みの類似の音楽であることが多く、着信時に、再生中の音楽の音量を低減したとしても、着信用の着信音が類似していることが多く、そのために気付きにくいという問題がある。  
本発明は、上記の問題点を解決するためになされたもので、楽曲再生中に着信があった場合に、着信通知用の着信音を楽しむことができると共に、確実に使用者に着信を通知することができる携帯電話機を提供することを目的とする。
【課題を解決するための手段】
【０００５】
上記目的を達成するために、本発明の携帯電話機は、再生用の楽曲を保存する楽曲保存手段と、着信通知用の着信音を保存する着信音保存手段と、前記楽曲および前記着信音を出力するスピーカと、着信通知用の着信表示手段と、着信通知用の振動手段と、前記楽曲再生中に着信があった時に、当該再生中の楽曲と前記着信音とが類似曲であるかを判断し、類似曲であれば、前記着信表示手段または前記振動手段または類似曲ではない他の着信音のいずれか１乃至複数の手段により着信を報知する制御手段とを具備することを特徴とする。
【発明の効果】
【０００６】
本発明によれば、楽曲再生中に着信があった場合に、着信通知用の着信音を楽しむことができると共に、確実にユーザに着信を通知することが可能となる。
【発明を実施するための最良の形態】
【０００７】
以下、本発明の実施例を、図面を参照して説明する。  
図１は、本発明の実施例に係る携帯電話機の関連部分のブロック図である。携帯電話機１００は、アンテナ１、無線通信部２、キー入力部３、制御部４、楽曲ＤＢ５、着信音ＤＢ６、着信ＬＥＤ７、バイブレータ８、スピーカ９などにより構成されている。  
アンテナ１は、図示しない基地局との間で電波の送信受信を行う。無線通信部２は、基地局からの着信の検出を行う。また、変調復調処理等を行う。キー入力部３は、使用者による操作入力用である。制御部４は、図示しないＣＰＵ、プログラムＲＯＭ、ワーキングＲＡＭ、ＤＳＰ等により構成され、着信時の処理や音声圧縮拡張などの処理を行う。楽曲ＤＢ５は、再生用楽曲データを格納するデータベースである。着信音ＤＢ６は、着信通知用の着信音を格納するデータベースであり、「着メロ」や「着歌」と称される音楽や、他の効果音などを格納する。着信ＬＥＤ７は、着信通知用の表示を行うＬＥＤである。バイブレータ８は、着信通知用の振動手段である。スピーカ９は、音声出力手段であり、再生用楽曲や着信時の着信音を出力する。  
なお、楽曲ＤＢ５や着信音ＤＢ６は、外付けのメモリカード等であってもよい。また、スピーカ９は、有線や無線接続された外部スピーカであってもよい。
【０００８】
図２は、本発明の実施例に係る携帯電話機の楽曲ＤＢの構成を説明する図である。楽曲ＤＢ５は、複数の楽曲の楽曲データとその曲名等を記憶する。これは、携帯電話機の使用者が予め、好みの音楽を格納するものであり、楽曲が３個格納された例について説明する。  
楽曲データ５ａ欄は、ＭＰ３、ＡＡＣ等の符号化方式に基づいて圧縮された楽曲データが格納され、楽曲データ５１、５２、５３が格納されている。曲名５ｂ欄は、曲名が各楽曲データに対応付けて格納されている。歌手名５ｃ欄は、歌手名が各楽曲データに対応付けて格納されている。音楽ジャンル名５ｄ欄は、クラシック、レゲー、演歌、ボサノバなどの音楽ジャンル名が各楽曲データに対応付けて格納されている。アルバム名５ｅ欄は、楽曲がシングル曲ではなく、アルバムの中からコピーされた曲である場合に、そのアルバム名が各楽曲データに対応付けて格納されている。ちなみに、楽曲データ５１は、曲名「Ａ」、歌手名「あ」、音楽ジャンル名「クラシック」、アルバム名「Ｘ」である。
【０００９】
図３は、本発明の実施例に係る携帯電話機の着信音ＤＢの構成を説明する図である。着信音ＤＢ６は、複数の着信音データとその曲名等を記憶する。これは、携帯電話機の使用者が予め、好みの着信音を格納するものであり、着信音が３個格納された例について説明する。  
着信音データ６ａ欄は、ＭＰ３、ＡＡＣ等の符号化方式に基づいて圧縮された着信音データが格納され、着信音データ６１、６２、６３が格納されている。曲名６ｂ欄は、曲名が各着信音データに対応付けて格納されている。歌手名６ｃ欄は、歌手名が各着信音データに対応付けて格納されている。音楽ジャンル名６ｄ欄は、クラシック、レゲー、演歌、ボサノバなどの音楽ジャンル名、または単純な効果音等であるかが各着信音データに対応付けて格納されている。アルバム名６ｅ欄は、着信音がシングル曲ではなく、アルバムの中からコピーされた曲である場合に、そのアルバム名が各着信音データに対応付けて格納されている。ちなみに、着信音データ６１は、曲名「Ａ」、歌手名「か」、音楽ジャンル名「レゲー」、アルバム名「Ｕ」である。  
この着信音データ６１の曲名「Ａ」は、楽曲データ５１（図２）の曲名「Ａ」と同じであり、着信音データ６１は、楽曲データ５１をレゲー風にアレンジして他の歌手が歌っている場合を示す。
【００１０】
図４は、本発明の実施例に係る携帯電話機の制御部の動作フローチャートであり、楽曲再生中の着信時の処理を示す。携帯電話機の使用者は、キー操作で楽曲再生メニューを設定し、楽曲ＤＢ５の中の楽曲データ５１を選択したとする。制御部４は、指定された楽曲データ５１を楽曲ＤＢ５からワーキングＲＡＭに読み込み（ステップＳ１）、ＭＰ３やＡＡＣで符号化された楽曲データ５１の復号処理を行い、図示しない音声増幅部を経由してスピーカ９へ送出し、楽曲を再生する（ステップＳ２）。この再生楽曲を使用者が聞いている最中に、基地局から着信があると（ステップＳ３で「有り」）、再生中の楽曲を停止する（ステップＳ４）。
【００１１】
携帯電話機の使用者は、予め、着信音として、着信音ＤＢ６の中の着信音データ６１を設定していたとする。制御部４は、着信音データ６１の曲名「Ａ」、歌手名「か」、音楽ジャンル名「レゲー」、アルバム名「Ｕ」を読み込み（ステップＳ５）、再生中の楽曲データ５１の曲名「Ａ」、歌手名「あ」、音楽ジャンル名「クラシック」、アルバム名「Ｘ」とを比較し（ステップＳ６）、各項目の少なくとも１つが同じであれば、類似曲と判断し、そうでなければ、類似曲ではないと判断する（ステップＳ７）。
【００１２】
これは、楽曲ＤＢ、着信音ＤＢ共に使用者が好みの音楽を予め登録することが多いために、使用者自身が聞いた時に、再生用の楽曲なのか着信時の着信音が鳴っているのかを咄嗟に判断できないことが多いからである。特に、曲名、歌手名、音楽ジャンル名、アルバム名などの１つが同じであれば、特に類似しており、使用者はますます判断できないことが多いからである。
【００１３】
この楽曲データ５１と着信音データ６１の場合は、曲名「Ａ」が同じであり、制御部４は、類似曲と判断する。類似曲と判断した場合には、着信を使用者に報知する手段として、着信ＬＥＤ７を点滅させる（ステップＳ８）。又は、バイブレータ８を振動させる（ステップＳ８）。又は、再生中の楽曲データ５１とは類似していない他の着信音を着信音ＤＢ６の中から抽出する。例えば、着信音データ６２は、曲名「Ｄ」、歌手名「き」、音楽ジャンル名「ボサノバ」、アルバム名「Ｖ」であり、再生中の楽曲データ５１の曲名「Ａ」、歌手名「あ」、音楽ジャンル名「クラシック」、アルバム名「Ｘ」とは各項目が合っていないので、類似していないと判断して、この着信音データ６２を着信音としてスピーカ９から出力して、使用者に報知する（ステップＳ８）。なお、これらの複数の着信報知手段を組み合わせてもよい。  
ステップＳ７において、類似曲ではないと判断した場合は、現在設定されている着信音データ６１をそのまま、着信音としてスピーカ９から出力して、使用者に報知する（ステップＳ９）。
【００１４】
この実施例によれば、現在再生中の楽曲と予め設定されている着信音とが類似しているかどうかを判断し、類似している場合に限って、他の着信報知手段に切り替えることにより、着信を見逃してしまうことがない。また、類似していない場合には、好みの着信音をそのまま楽しむことができる。
【００１５】
図５は、本発明の他の実施例に係る携帯電話機の制御部の動作フローチャートであり、楽曲再生中の着信時の処理を示す。図４の動作フローチャートと同じ箇所は同じ番号を付し、他の異なる箇所を主に説明する。制御部４は、楽曲再生中に着信があると、再生中の楽曲を停止し、着信設定されている着信音情報を読み込む（ステップＳ１〜Ｓ５）。次に、制御部４は、再生中の楽曲ではなく、楽曲ＤＢ５に格納されている全楽曲と着信音データ６１の比較を行う（ステップＳ１６）。そして、楽曲ＤＢ５に格納されている全楽曲の中の１曲でも着信音データ６１と類似しているかどうかを、曲名、歌手名、音楽ジャンル名、アルバム名について比較し判断する。そして、全楽曲の中の１曲でも着信設定されている着信音と類似曲があれば、着信ＬＥＤ７の点滅や、バイブレータ８の振動や、全楽曲とは類似していない他の着信音を出力して、使用者に報知する（ステップＳ８）。全楽曲とも着信設定されている着信音と類似していなければ、現在設定されている着信音をそのまま出力して、使用者に報知する（ステップＳ９）。
【００１６】
この他の実施例によれば、再生中の楽曲ではなく、楽曲ＤＢ５に格納されている全楽曲と着信音との比較を行う。これは、使用者は、楽曲を再生する場合に１曲のみではなく継続して他の楽曲も再生することが多い。また、１曲のみを再生するようになっていたとしても、厳密に意識してどの楽曲を聴いているかを認識しないことも多い。従って、再生中の楽曲ではなくても、全楽曲と着信音とが類似していると、再生音ではなく楽曲が再生されていると誤って認識してしまうことがある。その誤認識を防ぐことができる。
【００１７】
なお、楽曲ＤＢ５と着信音ＤＢ６を別々に備えたが、同一データベース上で、楽曲毎に再生用の楽曲として使用するか着信音として使用するか、または両方に使用するかを記憶するようにしてもよい。  
また、携帯電話機について説明したが、ＰＨＳやＰＤＡなどの他の通信機能付きの携帯通信端末であってもよい。
【図面の簡単な説明】
【００１８】
【図１】本発明の実施例に係る携帯電話機の関連部分のブロック図。
【図２】本発明の実施例に係る携帯電話機の楽曲ＤＢの構成を説明する図。
【図３】本発明の実施例に係る携帯電話機の着信音ＤＢの構成を説明する図。
【図４】本発明の実施例に係る携帯電話機の制御部の動作フローチャート。
【図５】本発明の他の実施例に係る携帯電話機の制御部の動作フローチャート。
【符号の説明】
【００１９】
１  アンテナ
２  無線通信部
３  キー入力部
４  制御部
５  楽曲ＤＢ
６  着信音ＤＢ
７  着信ＬＥＤ
８  バイブレータ
９  スピーカ
１００  携帯電話機
【図１】
2007124584.tif 000003
【図２】
2007124584.tif 000004
【図３】
2007124584.tif 000005
【図４】
2007124584.tif 000006
【図５】
2007124584.tif 000007